【手続補正書】
【提出日】令和3年3月16日(2021.3.16)
【手続補正１】
【補正対象書類名】特許請求の範囲
【補正対象項目名】全文
【補正方法】変更
【補正の内容】
【特許請求の範囲】
【請求項１】
船舶に搭載された燃焼機関と、
前記燃焼機関から排出された排ガスに含まれる有害物質を処理する排ガス処理手段と、
船舶の位置を検出する位置検出手段と、
前記有害物質と海域と前記有害物質の規制値と規制発効時期との関係を記憶する排ガス規制記憶手段と、
前記位置検出手段で検出された前記船舶の位置と前記排ガス規制記憶手段に記憶された前記海域に基づいて、前記船舶が前記海域内にある時刻が前記海域における前記規制発効時期以後である場合に、前記有害物質の排出が前記海域における前記規制発効時期に関連付けられた前記規制値に適合するように、前記排ガス処理手段を制御する制御手段とを備えたことを特徴とする排ガス規制に対応した運転を行なう船舶。
【請求項２】
前記排ガス規制記憶手段は、複数種類の前記有害物質ごとに前記関係を記憶し、
前記制御手段は、前記有害物質ごとに前記排ガス処理手段を制御することを特徴とする請求項１に記載された排ガス規制に対応した運転を行なう船舶。
【請求項３】
前記排ガス規制記憶手段に記憶された前記有害物質又は前記海域又は前記規制値又は前記規制発効時期のいずれかが変更された場合、前記変更に応じて前記排ガス規制記憶手段の記憶内容を更新する更新手段を更に備えたことを特徴とする請求項１又は請求項２に記載された排ガス規制に対応した運転を行なう船舶。
【請求項４】
前記制御手段は、前記位置検出手段で検出された前記船舶の位置が前記排ガス規制記憶手段に記憶された第１の海域から前記第１の海域よりも厳しい前記規制値が設定された第２の海域に近づいた場合、前記船舶が前記第１の海域から前記第２の海域内に入る前に、前記有害物質の排出が前記第２の海域における前記規制値に適合するように処理することが可能な状態に前記排ガス処理手段を制御することを特徴とする請求項１から請求項３のいずれか１項に記載された排ガス規制に対応した運転を行なう船舶。
【請求項５】
前記制御手段は、前記位置検出手段で検出された前記船舶の位置が前記排ガス規制記憶手段に記憶された第３の海域から前記第３の海域よりも緩やかな前記規制値が設定された第４の海域へ退出しようとする場合、前記船舶が前記第３の海域から前記第４の海域に出た後に、前記有害物質の排出が前記第４の海域における前記規制値に適合するように処理することが可能な状態に前記排ガス処理手段を制御することを特徴とする請求項１から請求項４のいずれか１項に記載された排ガス規制に対応した運転を行なう船舶。
【請求項６】
前記燃焼機関に複数種類の燃料を切り替えて供給する燃料供給手段を更に備え、
前記制御手段は、前記位置検出手段で検出された前記船舶の位置と、前記排ガス規制記憶手段に記憶された前記関係とに基づいて、前記燃料供給手段が供給する前記燃料を前記関係に含まれる前記規制値に応じて切り替え、前記排ガス処理手段に前記燃料に対応した処理を行わせることを特徴とする請求項１から請求項５のいずれか１項に記載された排ガス規制に対応した運転を行なう船舶。
【請求項７】
前記有害物質が硫黄酸化物であり、
前記排ガス処理手段が、前記排ガスを液体で洗浄して前記硫黄酸化物を除去するスクラバを含むことを特徴とする請求項１から請求項６のいずれか１項に記載された排ガス規制に対応した運転を行なう船舶。
【請求項８】
前記制御手段は、前記位置検出手段で検出された前記船舶の位置と、前記排ガス規制記憶手段に記憶された前記関係とに基づいて、前記スクラバの方式を前記関係に含まれる前記規制値に適合する方式に切り替えることを特徴とする請求項７に記載された排ガス規制に対応した運転を行なう船舶。
【請求項９】
前記スクラバが、前記燃焼機関から排出された前記排ガスに含まれる前記有害物質である粒子状物質も更に処理することを特徴とする請求項７又は請求項８に記載された排ガス規制に対応した運転を行なう船舶。
【請求項１０】
前記燃焼機関が、メタンを含むガスを燃焼し、前記排ガス処理手段が、前記燃焼機関から排出された前記排ガスに含まれる前記有害物質である未燃メタンを処理することを特徴とする請求項１から請求項９のいずれか１項に記載された排ガス規制に対応した運転を行なう船舶。
【請求項１１】
船舶の位置を検出し、
有害物質と海域と前記有害物質の規制値と規制発効時期との関係を記憶し、
検出された前記船舶の位置と記憶された前記海域に基づいて、前記船舶が前記海域内にある時刻が前記海域における前記規制発効時期以後である場合に、前記有害物質の排出が前記海域における前記規制発効時期に関連付けられた前記規制値に適合するよう、前記有害物質の処理を制御することを特徴とする船舶の排ガス規制に対応した運転方法。
【請求項１２】
複数種類の前記有害物質ごとに前記関係を記憶し、前記有害物質ごとに前記処理を制御することを特徴とする請求項１１に記載された船舶の排ガス規制に対応した運転方法。
【請求項１３】
記憶された前記有害物質又は前記海域又は前記規制値又は前記規制発効時期のいずれかが変更された場合、前記変更に応じて記憶内容を更新することを特徴とする請求項１１又は請求項１２に記載された船舶の排ガス規制に対応した運転方法。
【請求項１４】
前記記憶内容を遠隔操作によって更新することを特徴とする請求項１３に記載された船舶の排ガス規制に対応した運転方法。
【請求項１５】
前記有害物質の排出が、前記海域における前記規制発効時期に関連付けられた前記規制値に適合可能な状態に変更されたときに、前記海域の管轄部署に前記変更を報告することを特徴とする請求項１１から請求項１４のいずれか１項に記載された船舶の排ガス規制に対応した運転方法。
【請求項１６】
前記有害物質の排出が、前記海域における前記規制発効時期に関連付けられた前記規制値に適合可能な状態に変更できないときに、前記海域の管轄部署に前記変更ができないことを報告することを特徴とする請求項１１から請求項１４のいずれか１項に記載された船舶の排ガス規制に対応した運転方法。
【請求項１７】
前記有害物質の前記処理において貯留した廃液を、前記廃液の廃棄が許容された前記海域において廃棄することを特徴とする請求項１１から請求項１６のいずれか１項に記載された船舶の排ガス規制に対応した運転方法。
【手続補正２】
【補正対象書類名】明細書
【補正対象項目名】００１２
【補正方法】変更
【補正の内容】
【００１２】
本発明に係る排ガス規制に対応した運転を行なう船舶は、船舶に搭載された燃焼機関と、前記燃焼機関から排出された排ガスに含まれる有害物質を処理する排ガス処理手段と、船舶の位置を検出する位置検出手段と、前記有害物質と海域と前記有害物質の規制値と規制発効時期との関係を記憶する排ガス規制記憶手段と、前記位置検出手段で検出された前記船舶の位置と前記排ガス規制記憶手段に記憶された前記海域に基づいて、前記船舶が前記海域内にある時刻が前記海域における前記規制発効時期以後である場合に、前記有害物質の排出が前記海域における前記規制発効時期に関連付けられた前記規制値に適合するように、前記排ガス処理手段を制御する制御手段とを備えたことを特徴とする。
【手続補正３】
【補正対象書類名】明細書
【補正対象項目名】００１４
【補正方法】変更
【補正の内容】
【００１４】
また、本発明に係る排ガス規制に対応した運転を行なう船舶において、前記制御手段は、前記位置検出手段で検出された前記船舶の位置が前記排ガス規制記憶手段に記憶された第１の海域から前記第１の海域よりも厳しい前記規制値が設定された第２の海域に近づいた場合、前記船舶が前記第１の海域から前記第２の海域内に入る前に、前記有害物質の排出が前記第２の海域における前記規制値に適合するように処理することが可能な状態に前記排ガス処理手段を制御することを特徴とする。
【手続補正４】
【補正対象書類名】明細書
【補正対象項目名】００１６
【補正方法】変更
【補正の内容】
【００１６】
また、本発明に係る排ガス規制に対応した運転を行なう船舶において、前記制御手段は、前記位置検出手段で検出された前記船舶の位置が前記排ガス規制記憶手段に記憶された第３の海域から前記第３の海域よりも緩やかな前記規制値が設定された第４の海域へ退出しようとする場合、前記船舶が前記第３の海域から前記第４の海域に出た後に、前記有害物質の排出が前記第４の海域における前記規制値に適合するように処理することが可能な状態に前記排ガス処理手段を制御することを特徴とする。
【手続補正５】
【補正対象書類名】明細書
【補正対象項目名】００１８
【補正方法】変更
【補正の内容】
【００１８】
また、本発明に係る排ガス規制に対応した運転を行なう船舶において、前記排ガス規制記憶手段は、複数種類の前記有害物質ごとに前記関係を記憶し、前記制御手段は、前記有害物質ごとに前記排ガス処理手段を制御することを特徴とする。
【手続補正６】
【補正対象書類名】明細書
【補正対象項目名】００２０
【補正方法】変更
【補正の内容】
【００２０】
また、本発明に係る排ガス規制に対応した運転を行なう船舶において、前記排ガス規制記憶手段に記憶された前記有害物質又は前記海域又は前記規制値又は前記規制発効時期のいずれかが変更された場合、前記変更に応じて前記排ガス規制記憶手段の記憶内容を更新する更新手段を更に備えたことを特徴とする。
【手続補正７】
【補正対象書類名】明細書
【補正対象項目名】００２２
【補正方法】変更
【補正の内容】
【００２２】
また、本発明に係る排ガス規制に対応した運転を行なう船舶において、前記燃焼機関に複数種類の燃料を切り替えて供給する燃料供給手段を更に備え、前記制御手段は、前記位置検出手段で検出された前記船舶の位置と、前記排ガス規制記憶手段に記憶された前記関係とに基づいて、前記燃料供給手段が供給する前記燃料を前記関係に含まれる前記規制値に応じて切り替え、前記排ガス処理手段に前記燃料に対応した処理を行わせることを特徴とする。
【手続補正８】
【補正対象書類名】明細書
【補正対象項目名】００２４
【補正方法】変更
【補正の内容】
【００２４】
また、本発明に係る排ガス規制に対応した運転を行なう船舶において、前記有害物質が硫黄酸化物であり、前記排ガス処理手段が、前記排ガスを液体で洗浄して前記硫黄酸化物を除去するスクラバを含むことを特徴とする。
【手続補正９】
【補正対象書類名】明細書
【補正対象項目名】００２６
【補正方法】変更
【補正の内容】
【００２６】
また、本発明に係る排ガス規制に対応した運転を行なう船舶において、前記制御手段は、前記位置検出手段で検出された前記船舶の位置と、前記排ガス規制記憶手段に記憶された前記関係とに基づいて、前記スクラバの方式を前記関係に含まれる前記規制値に適合する方式に切り替えることを特徴とする。
【手続補正１０】
【補正対象書類名】明細書
【補正対象項目名】００２８
【補正方法】変更
【補正の内容】
【００２８】
また、本発明に係る排ガス規制に対応した運転を行なう船舶において、前記スクラバが、前記燃焼機関から排出された前記排ガスに含まれる前記有害物質である粒子状物質も更に処理することを特徴とする。
【手続補正１１】
【補正対象書類名】明細書
【補正対象項目名】００３０
【補正方法】変更
【補正の内容】
【００３０】
また、本発明に係る排ガス規制に対応した運転を行なう船舶において、前記燃焼機関が、メタンを含むガスを燃焼し、前記排ガス処理手段が、前記燃焼機関から排出された前記排ガスに含まれる前記有害物質である未燃メタンを処理することを特徴とする。メタンを含むガス燃料とは、例えば天然ガスやバイオガス、ＬＰガス、プロパンガス等が含まれる。
【手続補正１２】
【補正対象書類名】明細書
【補正対象項目名】００３２
【補正方法】変更
【補正の内容】
【００３２】
また、本発明に係る船舶の排ガス規制に対応した運転方法において、船舶の位置を検出し、有害物質と海域と前記有害物質の規制値と規制発効時期との関係を記憶し、検出された前記船舶の位置と記憶された前記海域に基づいて、前記船舶が前記海域内にある時刻が前記海域における前記規制発効時期以後である場合に、前記有害物質の排出が前記海域における前記規制発効時期に関連付けられた前記規制値に適合するよう、前記有害物質の処理を制御することを特徴とする。
【手続補正１３】
【補正対象書類名】明細書
【補正対象項目名】００３４
【補正方法】変更
【補正の内容】
【００３４】
また、本発明に係る船舶の排ガス規制に対応した運転方法において、複数種類の前記有害物質ごとに前記関係を記憶し、前記有害物質ごとに前記処理を制御することを特徴とする。
【手続補正１４】
【補正対象書類名】明細書
【補正対象項目名】００３６
【補正方法】変更
【補正の内容】
【００３６】
また、本発明に係る船舶の排ガス規制に対応した運転方法において、記憶された前記有害物質又は前記海域又は前記規制値又は前記規制発効時期のいずれかが変更された場合、前記変更に応じて記憶内容を更新することを特徴とする。変更を更新する時、例えば遠隔操作によって更新すれば、同じ会社に所属する異なる船の記憶内容を同時に一回で自動的に更新する事が出来る。インターネットを使った情報伝達（IoT）を利用すれば、この装置を搭載する世界中にある船舶の記憶内容を更新することも可能となる。
【手続補正１５】
【補正対象書類名】明細書
【補正対象項目名】００３８
【補正方法】変更
【補正の内容】
【００３８】
また、本発明に係る船舶の排ガス規制に対応した運転方法において、前記有害物質の排出が、前記海域における前記規制発効時期に関連付けられた前記規制値に適合可能な状態に変更されたときに、前記海域の管轄部署に前記変更を報告することを特徴とする。
【手続補正１６】
【補正対象書類名】明細書
【補正対象項目名】００４０
【補正方法】変更
【補正の内容】
【００４０】
また、本発明に係る船舶の排ガス規制に対応した運転方法において、前記有害物質の排出が、前記海域における前記規制発効時期に関連付けられた前記規制値に適合可能な状態に変更できないときに、前記海域の管轄部署に前記変更ができないことを報告することを特徴とする。
【手続補正１７】
【補正対象書類名】明細書
【補正対象項目名】００４２
【補正方法】変更
【補正の内容】
【００４２】
また、本発明に係る船舶の排ガス規制に対応した運転方法において、前記有害物質の前記処理において貯留した廃液を、前記廃液の廃棄が許容された前記海域において廃棄することを特徴とする。